(57)【要約】【課題】接着剤を使わずに製作することができて、結合した構造を安定的に保持することのできる改善した化粧用ブラシおよびその製造方法を提供する。【解決手段】改善した化粧用ブラシおよびその製造方法を開示する。本発明の改善した化粧用ブラシは、ブラシ毛が一側部に結合したブラシ毛結合部と；ブラシ毛結合部が内部に結合した連結固定部；および一側部にブラシ毛結合部と連結固定部とが結合したハンドル部とを含み、ハンドル部は、ハンドルボディー、ハンドルボディーの端部に段差ができるように設けられ、連結固定部の端部が加圧結合した第１段差ボディーおよび第１段差ボディーの端部に段差ができるように設けられ、連結固定部とブラシ毛結合部との端部が加圧結合した第２段差ボディーとを含むことを特徴とする。【選択図】図１
2020032172.tif 000002
【特許請求の範囲】
【請求項１】
ブラシ毛が一側部に結合したブラシ毛結合部と；
前記ブラシ毛結合部が内部に結合した連結固定部；および
一側部に前記ブラシ毛結合部と前記連結固定部とが結合したハンドル部とを含み、
前記ハンドル部は、ハンドルボディー、前記ハンドルボディーの端部に段差ができるように設けられ、前記連結固定部の端部が加圧結合した第１段差ボディーおよび前記第１段差ボディーの端部に段差ができるように設けられ、前記連結固定部と前記ブラシ毛結合部の端部が加圧結合した第２段差ボディーとを含む
改善した化粧用ブラシ。
【請求項２】
前記連結固定部は、
前記第１段差ボディーと前記第２段差ボディーに一側部が結合して、内部に前記ブラシ毛結合部が収容される連結固定ボディーを含み、
前記連結固定ボディーは、
前記第１段差ボディーの領域と対応する領域の前記連結固定ボディーを加圧して設けられる第１加圧領域部；および
前記第２段差ボディーの領域と対応する領域の前記連結固定ボディーと前記ブラシ毛結合部を加圧して設けられる第２加圧領域部とを含む
請求項１に記載の改善した化粧用ブラシ。
【請求項３】
前記ブラシ毛結合部は、
前記第２段差ボディーに一側部が挿入結合して、前記第２加圧領域部が設けられる固定ボディーと；
前記固定ボディーの他側部に延長して設けられ、前記ブラシ毛を内部に固定させる屈曲ボディー；および
前記屈曲ボディーの端部に設けられ、前記ブラシ毛をたばねる端部ボディーとを含む
請求項２に記載の改善した化粧用ブラシ。
【請求項４】
ブラシ毛結合部の一側部を加圧して、前記ブラシ毛結合部の内部にブラシ毛を結合させる段階と；
前記ブラシ毛が結合された前記ブラシ毛結合部を連結固定部の内部に挿入させる段階と；
ハンドルボディー、前記ハンドルボディーの端部に段差ができるように設けられる第１段差ボディーおよび前記第１段差ボディーの端部に段差ができるように設けられる第２段差ボディーを備えるハンドル部の前記第１段差ボディーに前記連結固定部の一側部を嵌合とともに前記第２段差ボディーに前記ブラシ毛結合部の一側部が嵌合するように前記ブラシ毛結合部と前記連結固定部を嵌合させる段階；および
前記第１段差ボディーの領域と対応する領域の前記連結固定部を加圧し、第１加圧領域部を設け、前記第２段差ボディーの領域と対応する領域の前記連結固定部と前記ブラシ毛結合部を加圧し、第２加圧領域部を設ける段階とを含む
改善した化粧用ブラシの製造方法。
【発明の詳細な説明】
【技術分野】
【０００１】
本発明は、化粧用ブラシおよびその製造方法に関する。より詳しくは、化粧品を顔にぬるために用いる改善した化粧用ブラシおよびその製造方法に関する。
【背景技術】
【０００２】
一般的に化粧をするために用いられる化粧品は、液体、固体、液体と固体とを混合した状態を成す。このうち、固体の形態の化粧品を顔にぬるために、様々な形や大きさのブラシが開発され使われている。
【０００３】
化粧では、鏡、化粧用ブラシなどの補助器具が必要であり、化粧用ブラシの場合にも使用目的によって、リップブラシ（Ｌｉｐ  ｂｒｕｓｈ）、ブレンダーブラシ（Ｂｌｅｎｄｅｒ  ｂｒｕｓｈ）、アイシャドーブラシ（Ｅｙｅ  ｓｈａｄｏｗ  ｂｒｕｓｈ）、マスカラブラシ（Ｍａｓｃａｒａ  ｂｒｕｓｈ）、チークブラシ（Ｃｈｅｅｋ  ｂｒｕｓｈ）など、様々な種類が使われる。
【０００４】
前述のブラシは、固体の粉からなる化粧品をブラシのはけに付けて、適当に顔などに塗布できるように設けられる。このようなブラシは、使用者が手で把持できるハンドルと、そのハンドルの先端に設けて複数の毛からなるはけとからなる。
【０００５】
昔は、はけをハンドルに接着剤のような化学物質を用いて結合させた。こういう場合、接着剤は化学物質からなって、人体に有害な影響を及ぼすことがあって、その点を考え、人体に無害な接着剤を用いる場合、製造単価が上昇する問題があった。
また、接着剤は、熱に弱い物質であるため、熱に露出される場合、接着部分がはがれて、耐久性が低下する問題があった。
【０００６】
前述の技術構成は、本発明の理解を助けるための背景技術であって、本発明の属する技術分野でよく知られた従来技術を意味することではない。
【先行技術文献】
【特許文献】
【０００７】
【特許文献１】韓国登録特許公報第１０−１４９３０５５号（株式会社エスエフコリア）２０１５．０２．０６．
【発明の概要】
【発明が解決しようとする課題】
【０００８】
従って、本発明の技術的課題は、接着剤を使わずに製作することができて、結合した構造を安定的に保持することのできる改善した化粧用ブラシおよびその製造方法を提供することである。
【課題を解決するための手段】
【０００９】
本発明の一側面によると、ブラシ毛が一側部に結合したブラシ毛結合部と；前記ブラシ毛結合部が内部に結合した連結固定部；および一側部に前記ブラシ毛結合部と前記連結固定部とが結合したハンドル部を含み、前記ハンドル部は、ハンドルボディー、前記ハンドルボディーの端部に段差ができるように設けられて、前記連結固定部の端部が加圧結合した第１段差ボディーおよび前記第１段差ボディーの端部に段差ができるように設けられて、前記連結固定部と前記ブラシ毛結合部の端部が加圧結合した第２段差ボディーとを含む改善した化粧用ブラシを提供する。
【００１０】
前記連結固定部は、前記第１段差ボディーと前記第２段差ボディーに一側部が結合し、内部に前記ブラシ毛結合部が収容される連結固定ボディーとを含み、前記連結固定ボディーは、前記第１段差ボディーの領域と対応する領域の前記連結固定ボディーを加圧して設けられる第１加圧領域部；および前記第２段差ボディーの領域と対応する領域の前記連結固定ボディーと前記ブラシ毛結合部を加圧して設けられる第２加圧領域部とを含むことができる。
【００１１】
前記ブラシ毛結合部は、前記第２段差ボディーに一側部が挿入結合して、前記第２加圧領域部が設けられる固定ボディーと；前記固定ボディーの他側部に延長して設けられて、前記ブラシ毛を内部に固定させる屈曲ボディー；および前記屈曲ボディーの端部に設けられて、前記ブラシ毛をたばねる端部ボディーとを含むことができる。
【００１２】
また、本発明の他側面によると、ブラシ毛結合部の一側部を加圧して、前記ブラシ毛結合部の内部にブラシ毛を結合させる段階と；前記ブラシ毛が結合された前記ブラシ毛結合部を連結固定部の内部に挿入させる段階と；ハンドルボディーと、前記ハンドルボディーの端部に段差ができるように設けられる第１段差ボディーおよび前記第１段差ボディーの端部に段差ができるように設けられる第２段差ボディーとを備えるハンドル部の前記第１段差ボディーに前記連結固定部の一側部を嵌合とともに前記第２段差ボディーに前記ブラシ毛結合部の一側部が嵌合するように前記ブラシ毛結合部と前記連結固定部を嵌合させる段階；および前記第１段差ボディーの領域と対応する領域の前記連結固定部を加圧し、第１加圧領域部を設けて、前記第２段差ボディーの領域と対応する領域の前記連結固定部と前記ブラシ毛結合部を加圧して、第２加圧領域部を設ける段階とを含む改善した化粧用ブラシの製造方法を提供することができる。
【発明の効果】
【００１３】
本発明の実施例等は、接着剤を使わずにブラシ毛結合部と連結固定部とハンドル部とを結合することができるため、接着剤の有害成分を根本的に防ぐことができる。
また、ハンドル部をハンドルボディーと第１段差ボディーと第２段差ボディーとで設け、連結固定部の端部を第１段差ボディーに加圧結合するとともに連結固定部とブラシ毛結合部との端部を第１段差ボディーに加圧結合することによって、結合した構造を安定的に保持することができる。
【図面の簡単な説明】
【００１４】
【図１】本発明の一実施例による改善した化粧用ブラシを概略的に図示した図面である。
【図２】図１の分解図であり、結合する前の構成を図示した図面である。
【図３】図１の主要部を拡大図示した図面である。
【図４】図２に図示のブラシ毛結合部の他実施例である。
【図５】本発明の他実施例による化粧用ブラシを概略的に図示した図面である。
【発明を実施するための形態】
【００１５】
本発明と本発明の動作上のメリットおよび本発明の実施によって達成される目的を十分に理解するためには、本発明の好ましい実施例を例示する添付図面および添付図面に記載の内容を参照しなければならない。
【００１６】
以下に、添付の図面を参照し、本発明の好ましい実施例を説明することによって、本発明を詳しく説明する。各図面に提示の同一参照符号は同一部材を示す。
【００１７】
図１は、本発明の一実施例による改善した化粧用ブラシを概略的に図示した図面であり、図２は、図１の分解図で、結合する前の構成を図示した図面であり、図３は、図１の主要部を拡大図示した図面であり、図４は、図２に図示したブラシ毛結合部の他実施例である。
【００１８】
これら図面に図示のように、本実施例による改善した化粧用ブラシ１は、ブラシ毛１０が一側部に結合したブラシ毛結合部１００と、ブラシ毛結合部１００が内部に結合した連結固定部２００と、一側部にブラシ毛結合部１００と連結固定部２００とが結合したハンドル部３００とを備える。
【００１９】
ブラシ毛結合部１００は、図２に図示のように、ブラシ毛１０の結合場所として提供され、図１に図示のように、ハンドル部３００の第２段差ボディー３３０に結合することができる。
【００２０】
本実施例のブラシ毛結合部１００は、図１および図２に図示のように、第２段差ボディー３３０に下側部が挿入結合する固定ボディー１１０と、固定ボディー１１０の上側部に延長して設けられ、ブラシ毛１０を内部に固定させる屈曲ボディー１２０と、屈曲ボディー１２０の端部に設けられ、ブラシ毛１０をたばねる端部ボディー１３０とを含む。
【００２１】
ブラシ毛結合部１００の固定ボディー１１０は、内部が空いていて、その下側部を第２段差ボディー３３０に嵌合結合させることができる。
【００２２】
本実施例の第２加圧結合部が設けられた領域の固定ボディー１１０は、図３に図示のように、第２段差ボディー３３０の方向に折り曲げることができる。
【００２３】
これは、連結固定部２００の第２加圧領域部２１２を設けるために連結固定ボディー２１０をクランプ装置などで加圧する場合、固定ボディー１１０が連結固定ボディー２１０とともに加圧され発生する。
【００２４】
ブラシ毛結合部１００の屈曲ボディー１２０は、図２に図示のように、固定ボディー１１０の上端部に延長して設けられ、ブラシ毛１０を加圧力によって固定結合させることをする。
【００２５】
本実施例は、ブラシ毛１０の下側部を屈曲ボディー１２０の内部に挿入させた後、クランプ装置に屈曲ボディー１２０を図２に図示の形で加圧することによって、接着剤を使わずにブラシ毛１０を屈曲ボディー１２０に固定結合させることができる。
【００２６】
ブラシ毛結合部１００の端部ボディー１３０は、図２に図示のように、屈曲ボディー１２０の上端部に延長して設けられ、ブラシ毛１０をたばねることをする。
本実施例の端部ボディー１３０は、屈曲ボディー１２０の上端部で延長して設けられることができて、端部ボディー１３０の外壁は、連結固定ボディー２１０の内壁に支持されることができる。
【００２７】
また、本実施例のブラシ毛結合部１００は、図３に図示のように、全体的に連結固定ボディー２１０の内部に配置することができる。
【００２８】
一方、本実施例のブラシ毛結合部１００ａは、図４に図示のように、固定ボディー１１０のみで設けることもある。
【００２９】
連結固定部２００は、図１に図示のように、ブラシ毛固定部をハンドル部３００に結合させることをする。
【００３０】
本実施例の連結固定部２００は、図３に図示のように、内部にブラシ毛固定部が収容され、下側部がハンドル部３００の第１段差ボディー３２０に嵌合結合される連結固定ボディー２１０と、連結固定ボディー２１０の上端部に設けられるラウンディング部２２０とを含む。
【００３１】
連結固定部２００の連結固定ボディー２１０は、内部の空いている円筒形の形を有することができて、図３に図示のように、第１加圧領域部２１１と第２加圧領域部２１２とが設けられる。
【００３２】
本実施例の第１加圧領域部２１１は、第１段差ボディー３２０の領域と対応する領域の連結固定ボディー２１０を第１段差ボディー３２０の方向に加圧して設けることができる。
【００３３】
また、本実施例の第２加圧領域部２１２は、第２段差ボディー３３０の領域と対応する領域の連結固定ボディー２１０とブラシ毛結合部１００を第２段差ボディー３３０の方向に加圧して設けることができる。
【００３４】
本実施例は、第１加圧領域部２１１が第１段差ボディー３２０の領域に設けられ、第２加圧領域部２１２が第１加圧領域部２１１と離隔された位置の第２段差ボディー３３０に設けられるため、連結固定部２００とブラシ毛結合部１００の結合力を向上させることができて、結合した状態を安定的に保持できるメリットがある。
【００３５】
連結固定部２００のラウンディング部２２０は、図３に図示のように、連結固定ボディー２１０の上端部に設けられ、連結固定ボディー２１０の内部にブラシ毛結合部１００の挿入が容易に成されるようにガイドすることができる。
【００３６】
また、本実施例のラウンディング部２２０が設けられた領域の連結固定ボディー２１０は、ブラシ毛１０を支持してブラシ毛１０が開くことを防ぐことができる。
【００３７】
ハンドル部３００は、使用者のハンドルの場所として提供されるものであり、図２に図示のように、ハンドルボディー３１０と、ハンドルボディー３１０の上端部に段差ができるように設けられる第１段差ボディー３２０と、第１段差ボディー３２０の上端部に段差ができるように設けられる第２段差ボディー３３０とを含む。
【００３８】
本実施例のハンドルボディー３１０の直径は、第１段差ボディー３２０の直径より大きく設けられ、第１段差ボディー３２０の直径は、第２段差ボディー３３０の直径より大きく設けられることができる。
【００３９】
また、本実施例の第１段差ボディー３２０には、連結固定部２００の端部が加圧結合することができて、第２段差ボディー３３０には、連結固定部２００とブラシ毛結合部１００の端部が加圧結合することができる。
【００４０】
図５は、本発明の他実施例による改善した化粧用ブラシを概略的に図示した図面である。
本実施例による改善した化粧用ブラシ１ａは、前述の実施例と構成が同一で、全体的な長さや横幅を相違するようにしたことから、前述の実施例と異なる。
【００４１】
以上のように本実施例は、接着剤を使わずにブラシ毛結合部と連結固定部とハンドル部とを結合することができるため、接着剤の有害成分を根本的に防ぐことができる。
【００４２】
また、ハンドル部をハンドルボディーと第１段差ボディーと第２段差ボディーとで設けて、連結固定部の端部を第１段差ボディーに加圧結合するとともに連結固定部とブラシ毛結合部の端部を第１段差ボディーに加圧結合することによって、結合した構造を安定的に保持することができる。
【００４３】
以上のように、本発明は、記載の実施例に限られることなく、本発明の事象および範囲を外れないで色々と修正および変形できることは、この技術の分野で通常の知識を有する者には自明である。従って、そのような修正例、または、変形例は、本発明の特許請求の範囲に属するというべきである。
【符号の説明】
【００４４】
１、１ａ：改善した化粧用ブラシ
１０：ブラシ毛
１００、１００ａ：ブラシ毛結合部
１１０：固定ボディー
１２０：屈曲ボディー
１３０：端部ボディー
２００：連結固定部
２１０：連結固定ボディー
２１１：第１加圧領域部
２１２：第２加圧領域部
２２０：ラウンディング部
３００：ハンドル部
３１０：ハンドルボディー
３２０：第１段差ボディー
３３０：第２段差ボディー
【図１】
2020032172.tif 000003
【図２】
2020032172.tif 000004
【図３】
2020032172.tif 000005
【図４】
2020032172.tif 000006
【図５】
2020032172.tif 000007